(57)【要約】      （修正有）【課題】ローアングル姿勢において、信頼性の高い構成の平行二軸ヒンジを持つ表示部を備えた撮像装置を提供すること。【解決手段】表示部１０５収納時には、表示部１０５の天面部と、アクセサリ取りつき部１０９を除く本体天面部が略同一面にあり、本体天面部には表示部１０５を上面に向けて操作した際に表示部１０５の裏面と接触する、第１の表示当接部２０１が構成されており、第一の表示当接部２０１と垂直であり、第１の表示部回転軸７０２よりも光軸前方に、表示部１０５を上面に向けて操作した際に表示部１０５の天面部と接触する第２の表示当接部２０２が構成される。【選択図】図８
2016133184.tif 000002
【特許請求の範囲】
【請求項１】
本体部と、撮影方向を前方として本体部に取りつけられたレンズユニットと、前記本体部上方にアクセサリ取りつき部と、前記レンズユニットの光軸後方に、表示面がレンズ光軸に対し垂直に、本体部の背面に配置された表示部と、前記表示部側に配置され、前記第１回転軸と平行な軸を持つ第２回転軸と、前記第１回転軸と前記第２回転軸をつなぐヒンジ部をもつ撮像装置において、
前記表示部収納時には、前記表示部の天面部と、前記アクセサリ取りつき部を除く本体天面部が同一面にあり、
前記本体天面部には前記表示部を上面に向けて操作した際に前記表示部の裏面と接触する、第１の当接部が構成されており、
前記第一の当接部と垂直であり、前記第１回転軸よりも光軸前方に、前記表示部を上面に向けて操作した際に前記表示部の天面部と接触する第２の当接部が構成されていることを特徴とする撮像装置。
【請求項２】
前記第２の当接部は前記表示部の裏面と前記第１の当接部が接触したときには前記表示部の天面部と近接するように配置されていることを特徴とする請求項１に記載の撮像装置。
【請求項３】
前記第２の当接部は前記アクセサリ取りつき部の一部として構成されていることを特徴とする請求項１に記載の撮像装置。
【請求項４】
前記第２の当接部の高さＬ２は、前記表示部の厚みＬ１よりも高く構成されていることを特徴とする請求項１に記載の撮像装置。
【発明の詳細な説明】
【技術分野】
【０００１】
本発明は、平行二軸ヒンジによって表示部を回動自在に支持する撮像装置に関する。
【背景技術】
【０００２】
近年、ビデオカメラ等の撮像装置の撮影形態は多様化している。特許文献１には、撮影方向を前方側として配設された撮像レンズと、この撮像レンズが形成する像を撮像する撮像手段とを有する本体部と、表示画面を本体部の後方側に向けて配設される映像表示装置をもち、一端部が本体部の背面側の上方縁部との間の第１のヒンジ部材を介して本体部に回動自在に支持されるとともに、他端部が映像表示装置との間の第２のヒンジ部材を介して映像表示装置を回動自在に支持する撮像装置が開示されている。上記のような構成のヒンジを平行２軸ヒンジと呼ぶ。
【先行技術文献】
【特許文献】
【０００３】
【特許文献１】特開平９−１６３１９１号公報
【発明の概要】
【発明が解決しようとする課題】
【０００４】
しかしながら、上述の特許文献に開示された従来技術は、表示部に対して過度の荷重操作を行った際の強度機構が十分とは言えない。また、強度が求められる撮像装置の上位機種においては、最天面部にアクセサリーを装着するための装着部を有するものが存在する。そのため特に、表示部を上方に向けるローアングル姿勢においては、信頼性の高い構成を取ることが困難であった。
【０００５】
本発明の目的は、ローアングル姿勢において、信頼性の高い構成の平行二軸ヒンジを持つ表示部を備えた撮像装置を提供することにある。
【課題を解決するための手段】
【０００６】
上記の目的を達成するために、本発明は、本体部と、撮影方向を前方として本体部に取りつけられたレンズユニットと、前記本体部上方にアクセサリ取りつき部と、前記レンズユニットの光軸後方に、表示面がレンズ光軸に対し垂直に、本体部の背面に配置された表示部と、前記表示部側に配置され、前記第１回転軸と平行な軸を持つ第２回転軸と、前記第１回転軸と前記第２回転軸をつなぐヒンジ部をもつ撮像装置において、前記表示部収納時には、前記表示部の天面部と、前記アクセサリ取りつき部を除く本体天面部が略同一面にあり、前記本体天面部には前記表示部を上面に向けて操作した際に前記表示部の裏面と接触する、第１の当接部が構成されており、前記第一の当接部と垂直であり、前記第１回転軸よりも光軸前方に、前記表示部を上面に向けて操作した際に前記表示部の天面部と接触する第２の当接部が構成されていることを特徴とする。
【発明の効果】
【０００７】
本発明によれば、ローアングル姿勢において、信頼性の高い構成の平行二軸ヒンジを持つ表示部を備えた撮像装置の提供を実現できる。
【図面の簡単な説明】
【０００８】
【図１】撮像装置１０１の外観斜視図
【図２】撮像装置１０１の外観斜視図
【図３】撮像装置１０１の外観斜視図
【図４】撮像装置１０１の外観斜視図
【図５】撮像装置１０１の右側面図
【図６】撮像装置１０１の右側面図
【図７】撮像装置１０１の右側面部分拡大図
【図８】撮像装置１０１の右側面部分拡大図
【図９】ヒンジ部７０１の外観斜視図
【図１０】ヒンジ部７０１の右側面図
【図１１】撮像装置１０１の右側面図
【発明を実施するための形態】
【０００９】
以下、本発明の好適な一実施形態について、撮像装置に本発明を適用し、図面を参照しながら詳細に説明する。
【００１０】
尚、本実施形態での説明において、図１における矢印にて示す方向を、各々±Ｘ方向・±Ｙ方向・±Ｚ方向と定める。また、本実施形態における撮像装置において、レンズ（前玉）側から見た面（図１−Ｚ方向に向かって見た時、視認できる面）を正面、正面と対向する面を背面、正面から見て右側の面を右側面、正面から見て左側の面を左側面、正面から見て上側の面を上面、正面から見て下側の面を底面、と各々称する。
【００１１】
（撮像装置外観斜視図の説明）
図１は撮像装置１０１の主に上面構成を表す正面右側上方から見た斜視図、図２は撮像装置１０１の主に背面構成を表す背面左側上方から見た斜視図、図３は撮像装置１０１の主に底面構成を表す正面左側下方から見た斜視図、本図を用いて外観斜視図に表される各要素の機能を簡単に説明していく。
【００１２】
撮像装置１０１は正面側にはレンズ１０２、背面側に撮影者が撮像画像や再生画像の表示を行う表示部１０５が配置された本体１０６と、本体１０６の左側面に把持部回動軸１０４を中心に回動可能に取り付けられた把持部１０３によって構成されている。把持部１０３は図３に示す把持部回動軸１０４を中心に矢印Ａ側に９０度、矢印Ｂ側に９０度回動するように構成されている。
【００１３】
本体１０６の背面には、撮影者が撮像画像や再生画像の確認を行なう表示部１０５が配置されている。表示部１０５は本体１０６に対して回動可能に取り付けられており、撮影者が撮影状況に合わせて、表示部１０５の位置を任意に変えることができるように構成されている。表示部１０５の回動動作については、後述する。
【００１４】
表示部１０５には撮影者が確認する撮像画像や再生画像が表示される表示画面３０１が配置されている。本説明の表示部１０５において、表示画面３０１が配置された側を表示部１０５表面、その対面側を表示部１０５裏面と表現する。また表示部１０５を収納した状態で、正面から見て上側の面を表示部１０５天面、正面から見て下側の面を表示部１０５底面と表現する。
【００１５】
本体１０６には、表示部１０５裏面が対向する側に設けられた背面カバー１０７が配置されている。表示部１０５は背面カバー１０７に固定されることで本体１０６と結合している。背面カバー１０７の上面には、第一の表示当接部２０１が配設されており、表示部１０５の回動動作時の動作端として機能する。
【００１６】
本体１０６の上面には、入力された音声信号を電気信号に変換するマイク１０８が配置されている。マイク１０８の背面方向に隣接して、フラッシュや外部マイクなどのカメラアクセサリを装着可能なアクセサリ取付部１０９が配置されている。アクセサリ取付部１０９の下にはアクセサリ取付台座部１１０を設け、アクセサリ取付部１０９の高さを稼ぐ構成になっている。さらに、アクセサリ取付台座部１１０の背面側の面は第二の表示当接部２０２として設定しており、通常時に表示部１０５を操作する荷重Ｆ１を大きく超える荷重Ｆ２が印加された場合の荷重受け面となる。詳細は後述する。
【００１７】
（撮像装置表示部の動作に関する説明）
撮像装置１０１の表示部１０５の動作について説明する。図１１は本体１０６に表示部１０５を収納した状態を右側面からみた側面図、図４は本体１０６の上面側に表示部１０５を向けた状態を底面右側下方からみた斜視図、図５は本体１０６の上面側に表示部１０５を向けた状態を右側面からみた側面図、図６は本体１０６の底面側に表示部１０５を向けた状態を右側面からみた側面図である。
【００１８】
図１１に示すように、本体１０６に表示部１０５を収納した状態では、表示部１０５の天面部は、背面カバー１０７の天面部と略同一面である。
【００１９】
図４に示すように、表示部１０５を本体１０６に対して回転移動可能に取り付けるヒンジ部７０１が配置されている。ヒンジ部７０１は本体１０６側に配置された第１の表示部回転軸７０２と表示部１０５側に配置された第２の表示部回転軸７０３を有している。
【００２０】
図４に示すように、表示部１０５は本体１０６に対して回転移動可能に構成される。本図を用いて表示部１０５の可動可能な姿勢について説明する。ヒンジ部７０１は本体内部背面側の締結部７０５によって本体１０６に締結される。また、ヒンジ部７０１はこの締結部７０５近傍に一点鎖線で表示した第１の表示部回転軸７０２を有し、本体１０６に対する表示部１０５の回転移動を可能にする。
【００２１】
このように、表示部１０５を第１の表示部回転軸７０２と第２の表示部回転軸７０３の２つの軸で回転移動させることで、撮影者は表示内容を見やすい位置に表示部１０５の位置を調整することが可能となる。たとえば、図５に示すような表示部１０５を本体１０６に対して上面側に向けた、いわゆるローアングル姿勢や、図６に示すような表示部１０５を本体１０６に対して底面側に向けた、いわゆるハイアングル姿勢においても、好適な位置で表示部１０５を視認できるようになる。これ以降の説明において、図５に示すような表示部１０５の状態をローアングル姿勢、図６に示すような表示部１０５の状態をハイアングル姿勢と表現する。
【００２２】
図７、図８はアクセサリ取付部１０９と表示部１０５の関係を示した部分拡大図である。撮像装置１０１がローアングル姿勢のとき、第１の表示部回転軸７０２は軸部に設けられているストッパー部に突き当たる最大角度まで回転移動した状態である。第１の表示部回転軸７０２のストッパー構造に関しては後述する。さらに、第２の表示部回転軸７０３は表示部１０５裏面が背面カバー１０７天面の第一の表示当接部２０１に対して突き当たることで動作を停止している。通常操作時には、この突き当たり位置で操作荷重Ｆ１を受けることになる。このとき表示部１０５は、第１の表示部回転軸７０２、第２の表示部回転軸７０３、第一の表示当接部２０１の三点で支持されるため、安定して姿勢を保持することが出来る。
【００２３】
さらに、ヒンジ部７０１が変形するほどの過度な力Ｆ２で操作された場合においてもアクセサリ取付台座部１１０の一部である、第二の表示当接部２０２に、表示部１０５天面が突き当たることで操作荷重Ｆ２を受け止め、安定した支持が可能となる。
【００２４】
（表示部１０５の動作とアクセサリ取付部１０９に関する説明（Ｙ方向））
このように回動動作可能な表示部１０５を有する撮像装置１０１において、第一の表示当接部２０１と第二の表示当接部２０２と表示部１０５のＹ方向の関係について説明する。第一の表示当接部２０１から第二の表示当接部２０２の＋Ｙ方向最上面までの距離（Ｌ２）は、表示部１０５の厚み（Ｌ１）よりも大きくなるように構成している。
【００２５】
このように構成することで、過度な力Ｆ２で操作された場合においても、表示部１０５天面全体で荷重を受けることが可能となり、信頼性の高い構成となる。
【００２６】
（表示部１０５の動作とアクセサリ取付台座部１１０に関する説明（Ｚ方向））
次に、回動動作可能な表示部１０５を有する撮像装置１０１において、第一の表示当接部２０１と第二の表示当接部２０２と表示部１０５のＺ方向の関係について説明する。図８はアクセサリ取付台座部１１０と表示部１０５の関係を示した部分拡大図である。このとき、第１の表示部回転軸７０２〜第２の表示部回転軸７０３までの距離をＬ３、第２の表示部回転軸７０３〜表示部１０５天面までの距離をＬ４とする。この距離の関係を、Ｌ４＞Ｌ３の関係とすることにより、ローアングル姿勢時に、第一の表示当接部２０１に当接することが可能となる。
【００２７】
また、ローアングル姿勢時の第２の表示部回転軸７０３〜第二の表示当接部２０２までの距離をＬ５としたとき、Ｌ５＞Ｌ４の関係とすることにより、アクセサリ取付台座部１１０に干渉することなく、表示部１０５をローアングル姿勢まで自在に回転可能となる。また、Ｌ５とＬ４の関係は、過度な荷重Ｆ２で操作された際に、表示部１０５天面が、第二の表示当接部２０２に当接するよう近接して設定している。
【００２８】
このように構成することで、過度な力Ｆ２で操作された場合においても、信頼性の高い構成となる。
【００２９】
（第１の表示部回転軸７０２のストッパー構造の説明）
図９はヒンジ部７０１のローアングル姿勢における斜視図である。ヒンジ部７０１は、金属によって構成された、締結部７０５、回動部７０６、表示画面保持部７０７が、第１の表示部回転軸７０２、第２の表示部回転軸７０３において回動自在に取り付けられる様構成されている。締結部７０５は第１の表示部回転軸７０２近傍に、曲げ部７０５ａを有している。
【００３０】
図１０はヒンジ部７０１をＸ方向から見た断面図である。第１の表示部回転軸７０２のローアングル姿勢におけるストッパー構造は、曲げ部７０５ａと、回動部７０６の端面７０６ａと接触させるよう構成されている。また、締結部７０５は本体１０６に対して、Ｚ方向締結部７０５ｂ、Ｙ方向締結部７０５ｃという二方向の締結部を有している。
【００３１】
上記の様な構成を取ることで、ローアングル姿勢における荷重を効果的に受けることが出来る信頼性の高い構成となる。
【００３２】
以上説明したように、ローアングル操作に対しての信頼性が高い平行２軸ヒンジを持つ表示部を備えた撮像装置を提供することが出来る。
【００３３】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００３４】
１０１  撮像装置、１０２  レンズ、１０３  把持部、１０４  把持部回動軸、
１０５  表示部、１０６  本体、１０７  背面カバー、１０８  マイク、
１０９  アクセサリ取付部、１１０  アクセサリ取付台座部、
２０１  第一の表示当接部、２０２  第二の表示当接部、３０１  表示画面、
７０１  ヒンジ部、７０２  第１の表示部回転軸、７０３  第２の表示部回転軸、
７０５  締結部、７０５ａ  曲げ部、７０５ｂ  Ｚ方向締結部、
７０５ｃ  Ｙ方向締結部、７０６  回動部、７０６ａ  端面、
７０７  表示画面保持部
【図１】
2016133184.tif 000003
【図２】
2016133184.tif 000004
【図３】
2016133184.tif 000005
【図４】
2016133184.tif 000006
【図５】
2016133184.tif 000007
【図６】
2016133184.tif 000008
【図７】
2016133184.tif 000009
【図８】
2016133184.tif 000010
【図９】
2016133184.tif 000011
【図１０】
2016133184.tif 000012
【図１１】
2016133184.tif 000013